(57)【要約】【課題】安価且つ簡素な構成で、沈胴機構を有する鏡胴を用いたレンズユニット内の所定のレンズ群を組み立て時に鏡胴外部から容易に調整することができるレンズユニット及びそれを用いた撮像装置を提供すること。【解決手段】第５レンズ群Ｌ５に連結されたアーム部材２０２が、固定筒１０４の切欠１０４ｂを介して固定筒１０４の内側から外側に延在するようになっているので、固定筒１０４の外側から、アーム保持部材２０１を地板１０１上で摺動させることで、アーム部材２０２を介して第５レンズ群Ｌ５の位置調整を行うことができ、これによりレンズ群Ｌ１〜Ｌ４で積み上がった組み付け誤差等を、組み上げた状態でキャンセルできる。【選択図】図１０
2013246336.tif 000002
【特許請求の範囲】
【請求項１】
調整されるレンズ群を含む複数のレンズ群と、
光軸方向に移動し沈胴可能となされた移動鏡筒と、
前記移動鏡筒の外側に配置され、外周の一部に開口部が形成された固定筒と、
前記固定筒を保持する地板と、
前記調整されるレンズ群を保持し、前記開口部から前記固定筒の外側に延在すると共に長孔が形成されたアーム部材と、
前記長孔の短径に嵌合し前記アーム部材を軸止するピンと、
を有し、
前記アーム部材が前記地板に固着されていない状態では、
前記アーム部材の前記固定筒の外側に延在する部位を光軸に直交する面内で移動させることにより、前記調整されるレンズ群が光軸に直交する面内で前記長孔方向の移動と前記ピンを支点とした揺動とが可能になっていることを特徴とするレンズユニット。
【請求項２】
前記地板の物体側の面の少なくとも一部には複数のレンズ群の光軸に直交する面が形成されており、
前記アーム部材の前記固定筒の外側には、前記アーム部材を保持すると共に像側の外面が光軸に直交するよう形成されたアーム保持部材を有し、
前記アーム保持部材の像側の外面と前記地板の物体側に形成された光軸に直交する面を当接させて摺動させることで、前記アーム部材の前記固定筒の外側を前記複数のレンズ群の光軸に直交する面内で移動させることを特徴とする請求項１に記載のレンズユニット。
【請求項３】
前記アーム部材は、前記アーム保持部材に両端部が支持されたシャフトに軸支され、付勢部材により光軸O方向の物体側へ付勢されており、沈胴時に前記付勢部材による付勢に抗して像側の方向に移動させられることを特徴とする請求項２に記載のレンズユニット。
【請求項４】
前記調整されるレンズ群を保持するレンズ枠は、前記アーム部材に対して枢動点を介して取り付けられており、沈胴時に前記アーム部材に対して前記レンズ枠を前記枢動点回りに枢動させることで、前記調整されるレンズ群を光軸直交方向に退避させるようになっていることを特徴とする請求項１〜３のいずれかに記載のレンズユニット。
【請求項５】
請求項１〜４のいずれかに記載のレンズユニットを有することを特徴とする撮像装置。
【発明の詳細な説明】
【技術分野】
【０００１】
本発明は、レンズユニット及び撮像装置に関し、特に組み立て時の調整が容易なレンズユニット及びそれを用いた撮像装置に関する。
【背景技術】
【０００２】
複数のレンズ群を含むレンズユニットにおいて、組み立てた状態で特定のレンズ群をシフトさせて調整を行い、撮像面の４つの周辺部の画質の均等化が行われている。しかしながら、特に沈胴機構を備えた鏡胴を有するレンズユニットの場合、円筒状に形成され回転しながら移動する鏡筒が多用されるため、一旦レンズ群を組み立ててしまうと、各レンズ群は周囲を円筒状の鏡筒などに覆われてしまい、調整を行うレンズ群に機械的にアクセスすることが困難になり、組み立て後の調整作業を容易に行えないという課題がある。
【０００３】
これに対し特許文献１には、単一又は複数のレンズ群を有するレンズ鏡筒において、偏心部を有するガイドロッドにてレンズ群を保持する保持枠を支持すると共に、光軸方向から偏心部を回転させることで、保持枠と共にレンズ群をシフトさせて調整する調整機構が開示されている。
【先行技術文献】
【特許文献】
【０００４】
【特許文献１】特開２００５−１２８２５０号公報
【発明の概要】
【発明が解決しようとする課題】
【０００５】
ところで、上述した調整機構によれば、偏心部の回転角度と偏心量により調整幅が制限されるため、調整したい移動量が所与の調整幅を超えていた場合、適切に調整を行えない恐れがある。これに対し、調整幅を拡大するには偏心部を大型化する必要があるが、それによりレンズ鏡筒の大径化を招くこととなって好ましくない。又、偏心部の回転角度と偏心量とがリニアの関係にないので、所望の調心量を得るための偏心部の回転角を求める計算が複雑であり、また、組み立て時にしか使用しない機構に新たな部品を要しコスト高となる。
【０００６】
本発明は、上述の課題を解決することを目的としたものであり、安価且つ簡素な構成で、沈胴機構を有する鏡胴を用いたレンズユニット内の所定のレンズ群を組み立て時に鏡胴外部から容易に調整することができるレンズユニット及びそれを用いた撮像装置を提供することを目的とする。
【課題を解決するための手段】
【０００７】
請求項１に記載のレンズユニットは、  調整されるレンズ群を含む複数のレンズ群と、
光軸方向に移動し沈胴可能となされた移動鏡筒と、
前記移動鏡筒の外側に配置され、外周の一部に開口部が形成された固定筒と、
前記固定筒を保持する地板と、
前記調整されるレンズ群を保持し、前記開口部から前記固定筒の外側に延在すると共に長孔が形成されたアーム部材と、
前記長孔の短径に嵌合し前記アーム部材を軸止するピンと、
を有し、
前記アーム部材が前記地板に固着されていない状態では、
前記アーム部材の前記固定筒の外側に延在する部位を光軸に直交する面内で移動させることにより、前記調整されるレンズ群が光軸に直交する面内で前記長孔方向の移動と前記ピンを支点とした揺動とが可能になっていることを特徴とする。
【０００８】
近年のレンズユニットは小型化、薄型化が図られており、特に沈胴機構を備えた鏡胴を有するレンズユニットの場合、円筒状に形成され回転しながら移動する鏡筒が多用されるため、一旦レンズ群を組み立ててしまうと、各レンズ群は円筒状の鏡筒などに覆われてしまうので、調整を行うレンズ群に機械的にアクセスすることが困難となっている。これに対し、本発明によれば、調整されるレンズ群を保持するアーム部材が、固定筒の開口部を介して鏡筒の内側から外側に延在するようになっているので、鏡筒の外側から、アーム部材を介して調整されるレンズ群の調整を行うことができる。これにより、前記調整されるレンズ群の調整量が限定される恐れが少なくなる。又、固定筒の外側のアーム部材を、作業者が直に目視できるので、作業者の意図に沿った操作に従いアーム部材を移動させることで、調整されるレンズ群の調整をダイレクトに行うことができる。また、ピンを支点として揺動させるよう構成することで、ピンの位置を適切に設定すれば、調整されるレンズ群の変位の分解能を所望の値に設定することが可能となる。
【０００９】
請求項２に記載のレンズユニットは、請求項１に記載の発明において、前記地板の物体側の面の少なくとも一部には複数のレンズ群の光軸に直交する面が形成されており、前記アーム部材の前記固定筒の外側には、前記アーム部材を保持すると共に像側の外面が光軸に直交するよう形成されたアーム保持部材を有し、前記アーム保持部材の像側の外面と前記地板の物体側に形成された光軸に直交する面を当接させて摺動させることで、前記アーム部材の前記固定筒の外側を前記複数のレンズ群の光軸に直交する面内で移動させることを特徴とする。
【００１０】
アーム部材を保持するアーム保持部材の像側の外面と地板に形成された光軸に直交する面を当接させて摺動させることで、調整されるレンズ群を光軸方向の位置を変化させることなくシフトのみ行わせることができる。
【００１１】
請求項３に記載のレンズユニットは、請求項２に記載の発明において、前記アーム部材は、前記アーム保持部材に両端部が支持されたシャフトに軸支され、付勢部材により光軸O方向の物体側へ付勢されており、沈胴時に前記付勢部材による付勢に抗して像側の方向に移動させられることを特徴とする。
【００１２】
これにより、沈胴時のレンズユニットの全長をより短縮できる。
【００１３】
請求項４に記載のレンズユニットは、請求項１〜３のいずれかに記載の発明において、前記調整されるレンズ群を保持するレンズ枠は、前記アーム部材に対して枢動点を介して取り付けられており、沈胴時に前記アーム部材に対して前記レンズ枠を前記枢動点回りに枢動させることで、前記調整されるレンズ群を光軸直交方向に退避させるようになっていることを特徴とする。
【００１４】
これにより、沈胴時の前記レンズユニットの全長をより短縮できる。
【００１５】
請求項５に記載の撮像装置は、請求項１〜４のいずれかに記載のレンズユニットを有することを特徴とする。
【発明の効果】
【００１６】
本発明によれば、安価且つ簡素な構成で、沈胴機構を有する鏡胴を用いたレンズユニット内の所定のレンズ群を組み立て時に鏡胴外部からレンズ群を容易に調整することができるレンズユニット及びそれを用いた撮像装置を提供することができる。
【図面の簡単な説明】
【００１７】
【図１】本実施の形態に係るレンズユニットを備えた撮像装置の一例であるデジタルカメラの外観図である。
【図２】本実施の形態にかかるレンズユニット１００の正面図である。
【図３】沈胴時のレンズユニット１００の斜視図である。
【図４】撮像時のレンズユニット１００の斜視図である。
【図５】図２の構成をV-V線で切断して矢印方向に見た図であり、レンズユニット１００の沈胴時の状態を示す断面図である。
【図６】レンズユニット１００の広角時の状態を示す断面図である。
【図７】レンズユニット１００の望遠時の状態を示す断面図である。
【図８】レンズユニット１００の一部を拡大して示す断面図である。
【図９】第５レンズ群Ｌ５の保持機構を光軸方向に見た図である。
【図１０】第５レンズ群Ｌ５の保持機構の斜視図である。
【図１１】第５レンズの保持枠周辺を示す図である。
【図１２】沈胴時における第５レンズ群Ｌ５の保持機構を光軸方向に見た図である。
【図１３】沈胴時における第５レンズ群Ｌ５の保持機構の斜視図である。
【発明を実施するための形態】
【００１８】
以下、本発明の実施の形態を、図面を参照して説明する。図１は、本実施の形態に係るレンズユニットを備えた撮像装置の一例であるデジタルカメラの外観図である。図１（ａ）は、デジタルカメラ１の前面図であり、図１（ｂ）は背面図である。
【００１９】
図１に示す様に、デジタルカメラ１は、レンズユニットと撮像素子を有する撮像部２、及び、カメラ本体部３よりなる。
【００２０】
撮像部２は、ズーム動作可能なレンズユニット及びＣＣＤ等の固体撮像素子からなり、レンズユニットを介して結像された被写体像を固体撮像素子で画像信号に変換できる。
【００２１】
カメラ本体部３は、ＬＣＤ（Ｌｉｑｕｉｄ Ｃｒｙｓｔａｌ Ｄｉｓｐｌａｙ；液晶表示素子）からなるＬＣＤ表示部６、ＥＶＦ（Ｅｌｅｃｔｒｏｎｉｃ Ｖｉｅｗ Ｆｉｎｄｅｒ；電子ビューファインダ）７、デジタルカメラ１を図示しないパーソナルコンピュータに接続する外部接続端子を有しており、撮像部２で取り込まれた画像信号に所定の信号処理を施し、ＬＣＤ表示部６やＥＶＦ７への画像表示、不図示のメモリカードなどの記録媒体への画像記録、あるいはパーソナルコンピュータへの画像の転送といった処理を行う。
【００２２】
カメラ本体部３の前面には、上部適所にフラッシュ発光部４が設けられている。また、カメラ本体部３の背面には撮影画像の表示や記録画像の再生表示を行うＬＣＤ表示部６とＥＶＦ７が設けられている。
【００２３】
カメラ本体部３の上面には、シャッタボタン５と、シャッタボタン５の近くに「記録モード」と「再生モード」とを切換設定する、不図示の撮影モード切換スイッチが設けられている。記録モードは、撮影待機状態から露光制御のプロセスを経て撮影にいたる写真撮影を行うモードであり、再生モードは、メモリカードに記録された撮影画像をＬＣＤ表示部６やＥＶＦ７に再生表示するモードである。
【００２４】
カメラ本体部３の背面には、再生画像のコマ送りや、撮影時にズーム操作を行うための再生コマ送りスイッチ／ズームスイッチ９が設けられている。再生コマ送りスイッチ／ズームスイッチ９における再生画像のコマ送りとは、カメラを再生モードに設定しメモリカード１３に記録された画像をコマ番号とともにＬＣＤ表示部６に順次表示する様にしたものである。なお、ＬＣＤ表示部６への画像表示を昇順方向（撮影順の方向）若しくは降順方向（撮影順と逆の方向）に変更指示することも可能である。また、撮影時のズーム操作は、再生コマ送りスイッチ／ズームスイッチ９を操作することにより、ズームレンズである撮像光学系をテレ方向若しくはワイド方向に変倍させる。
【００２５】
さらに、カメラ本体部３の背面には、画像表示を行うためのＬＣＤ表示部６とＥＶＦ７とを選択するＥＶＦ切換スイッチ８が設けられている。
【００２６】
また、カメラ本体部３の底面内部には、デジタルカメラ１の動作用電源としての電池（図示せず）が設けられている。
【００２７】
図２は、本実施の形態にかかるレンズユニット１００の正面図であり、図３は、沈胴時のレンズユニット１００の斜視図であり、図４は、撮像時のレンズユニット１００の斜視図である。図５は、図２の構成をV-V線で切断して矢印方向に見た図であり、沈胴時の状態を示し、図６は広角時の状態を示し、図７は望遠時の状態を示す。図８は、レンズユニット１００の一部を拡大して示す断面図である。
【００２８】
本実施の形態にかかるレンズユニット１００を、５群構成のズームレンズを例にして説明する。レンズユニット１００は、物体側から順に第１レンズ群Ｌ１、第２レンズ群Ｌ２、第３レンズ群Ｌ３、第４レンズ群Ｌ４、第５レンズ群Ｌ５から構成されている。そして、第１レンズ群Ｌ１、第２レンズ群Ｌ２、第３レンズ群Ｌ３、第４レンズ群Ｌ４は互いの群間距離を変化させながら光軸Ｏの方向に移動してズーミングを行う。また、第４レンズ群Ｌ４は光軸Ｏの方向に移動してフォーカシングも行う。第５レンズ群Ｌ５は撮像時に光軸方向に移動しないレンズ群であり且つ組み立て時に調整が行われるレンズ群でもある。
【００２９】
図８を参照して、レンズユニット１００の概略構成を説明する。地板１０１は、基板１０２を介して撮像素子１０３を保持している。地板１０１には、固定筒１０４が取り付けられている。固定筒１０４の内周面には、不図示のカム溝と、直進案内溝１０４ａが設けられている。
【００３０】
回転筒（移動鏡筒）１０５は、固定筒１０４の内径側に収納された筒体であり、図示しないアクチュエータによって、外周のギヤ部１０５ａを介して回転力を得て固定筒１０４に対して回転し、外面に設けられた不図示のカムピンと、上述のカム溝との係合により光軸方向に移動する。
【００３１】
回転筒１０５の内側には、第１直進案内１０６が設けられている。第１直進案内１０６は、固定筒１０４の直進案内溝１０４ａに係合し、回転を規制する突起部１０６ａと、回転筒１０５の内周に形成された周溝１０５ｂに係合する環状部１０６ｂとを有する。従って、第１直進案内１０６は、固定筒１０４の直進案内溝１０４ａにより回転せずに、回転筒１０５と共に光軸方向に移動する。第１直進案内１０６の内周には、直進案内溝１０６ｃが設けられている。
【００３２】
第１直進案内１０６の内側に、第２直進案内１０７が設けられており、端部に設けられた突起部１０７ａが、第１直進案内１０６の直進案内溝１０６ｃに係合している。第２直進案内１０７の内側に、第１レンズ群Ｌ１を保持する第１保持枠１０８が設けられており、第２直進案内１０７の内周に形成された直進案内溝１０７ｂに、第１保持枠１０８の外周に形成された突起部１０８ａが係合されている。又、第１保持枠１０８の内周には、フォロワピン部１０８ｂが設けられている。
【００３３】
第１保持枠１０８の内側には、インナーカム筒１０９が設けられている。インナーカム筒１０９は、端部外周から突出させたフォロワピン部１０９ａを、回転筒１０５の内周に形成した溝（不図示）に係合され、回転筒１０５と共に回転する。又、第一直進案内１０６にはカム溝が形成されており貫通、係合されたフォロワピン部１０９ａはこのカム溝に沿って光軸方向に移動する。
【００３４】
インナーカム筒１０９の外周に形成された外周カム溝１０９ｂには、第１保持枠１０８に形成されたフォロワピン部１０８ｂが係合している。インナーカム筒１０９の内側には、第３直進案内１１０が設けられており、端部に設けられた突起部１１０ａが第１直進案内１０６の直進案内溝１０６ｃに係合している。第３直進案内１１０の内周には、直進案内溝１１０ｂが設けられている。第２直進案内１０７、第３直進案内１１０、インナーカム筒１０９は光軸方向の位置関係は保ったままで光軸方向に移動する。
【００３５】
第３直進案内１１０の内側には、第２レンズ群Ｌ２を保持する第２保持枠１１１と、第３レンズ群Ｌ３を保持する第３レンズ保持枠１１２が設けられている。第２保持枠１１１は、第３直進案内１１０の直進案内溝１１０ｂに係合する直進キー部１１１ａと、インナーカム筒１０９の内周に形成された内周カム溝１０９ｃに係合するフォロワピン部１１１ｂとを有する。同様に、第３保持枠１１２は、第３直進案内１１０の直進案内溝１１０ｂに係合する直進キー部１１２ａと、インナーカム筒１０９の内周に形成された内周カム溝１０９ｄに係合するフォロワピン部１１２ｂとを有する。
【００３６】
なお、第４レンズ群Ｌ４は、不図示のアクチュエータによって光軸方向に駆動される第４保持枠１１３により保持されている。また、第５レンズ群Ｌ５は、図６、図７に示したように、アーム部材２０２に支持されており、アーム部材２０２は固定筒１０４に形成された切り欠き部（開口部）１０４ｂを貫通して延在し、固定筒１０４の外側でアーム保持部材２０１に両端部が支持されたシャフト２０１ｃにスリーブ部２０２ａが軸支され、スプリング２０３により光軸O方向の物体側へ付勢されている。又、第１保持枠１０８の物体側には、沈胴時に閉じて第１レンズ群Ｌ１を保護するレンズバリヤを設けてもよい。
【００３７】
上述の構成により、第１保持枠１０８に保持された第１レンズ群Ｌ１は、回転するインナーカム筒１０９の外周カム溝１０９ｂと第１保持枠１０８に形成されたフォロワピン部１０８ｂとの係合及び、直進案内溝１０７ｂと突起部１０８ａとの係合により、広角端から望遠端への変倍で物体側に移動する。
【００３８】
第２保持枠１１１に保持された第２レンズ群Ｌ２は、回転するインナーカム筒１０９の内周カム溝１０９ｃと第２保持枠１１１に形成されたフォロワピン部１１１ｂとの係合及び、直進案内溝１１０ｂと直進キー部１１１ａとの係合により、広角端から望遠端への変倍で像側に移動する。
【００３９】
第３保持枠１１２に保持された第３レンズ群Ｌ３は、回転するインナーカム筒１０９の内周カム溝１０９ｄと第３保持枠１１２に形成されたフォロワピン部１１２ｂとの係合及び、直進案内溝１１０ｂと直進キー部１１２ａとの係合により、広角端から望遠端への変倍で物体側に移動する。
【００４０】
第４保持枠１１３に保持された第４レンズ群Ｌ４は、第１〜第３レンズ群Ｌ１〜Ｌ３の光軸方向の移動に合わせて、不図示のアクチュエータによって第４保持枠１１３が独立して駆動され、広角端から望遠端への変倍で物体側に移動する。また、この第４レンズ群Ｌ４によってフォーカシングが行われる。
【００４１】
アーム部材２０２に保持された第５レンズ群Ｌ５は、スプリング２０３によりスリーブ部２０２ａの先端がアーム保持部材２０１の物体側内壁に当接して、撮像時の位置となる。
以上により、撮像時には図６と図７に示す広角−望遠間で第１〜第４レンズ群Ｌ１〜Ｌ４が変位すると共に、第５レンズ群Ｌ５は所定の位置に停止した状態となり、沈胴時には光軸上から退避して、図５に示す状態になる。また、第５レンズ群Ｌ５は、沈胴動作時に第４保持枠１１３が像側に移動してアーム部材２０２を押圧し、スプリング２０３の付勢力に抗して地板１０１側に移動させるようになっている。
【００４２】
次に、第５レンズ群Ｌ５の保持機構及び調整について説明する。図９は、第５レンズ群Ｌ５の保持機構及び地板１０１を光軸方向から見た図であり、図１０は、第５レンズ群Ｌ５の保持機構及び地板１０１の斜視図である。なお、固定筒は省略している。図１１は、第５レンズの保持機構を示す図である。図１２〜１３は、沈胴時における同様な図である。
【００４３】
図９，１０において、地板１０１には、物体側の面に平坦な領域１０１ａが形成されている。平坦な領域１０１ａは、光軸Oに対し直交する面に形成されている。領域１０１ａの外縁には、調整範囲の制限となる短い壁１０１ｂが設けられている。領域１０１ａ内には、三角柱ブロック状のアーム保持部材２０１が当接配置される。
【００４４】
アーム保持部材２０１は、固定筒１０４に対向する側面２０１ａが、固定筒１０４の外周面（図９に破線で一部を示す）と略同じ曲率半径の円弧状に形成され、固定筒１０４とは間隙を有して配置されている。又、アーム保持部材２０１は、光軸方向に延在するスリット状の切欠２０１ｂを有し、その内部に、アーム部材２０２のスリーブ部２０２ａを収容している。尚、アーム保持部材２０１には、調整時に作業を容易にすべく尖った治具などを係合させる小穴２０１ｅなどを設けても良い。
【００４５】
図６、１１を参照して、アーム保持部材２０１内には、両端部がアーム保持部材２０１に支持されたシャフト２０１ｃが設けられており、アーム部材２０２のスリーブ部２０２ａを貫通している。従って、アーム部材２０２のスリーブ部２０２ａは、シャフト２０１ｃに案内されて、光軸方向に移動可能となっていて、シャフト２０１ｃの周囲に設けたスプリング２０３により、物体側に付勢されている。
【００４６】
アーム保持部材２０１の像側の面（地板１０１との当接面）は、光軸Oに対し直交するよう形成されている。また、シャフト２０１ｃは、当接面と垂直に支持されている。アーム部材２０２は、固定筒１０４の光軸方向に延在する切欠（開口部）１０４ｂ（図６参照）を介して、固定筒１０４の内外にわたって延在している。
【００４７】
アーム部材２０２は、固定筒１０４の内側において、撮像素子１０３に対応して矩形開口部２０２ｂ（図１２）を有しており、又、他端部に設けたフレーム部２０２ｃに、軸２０２ｄを植設している。図１１において、枢動点としての軸２０２ｄは、第５レンズ群Ｌ５を保持する第５保持枠２０４の短アーム２０４ａを挿通しており、短アーム２０４ａは、ねじりバネ２０５により図９で反時計回りに付勢されている。第５保持枠２０４は、ねじりバネ２０５の付勢力により、短アーム２０４ａと反対側に形成された係止バー２０４ｂが係止ピン部２０２ｆに当接して撮像時は図９、図１０に示す状態となる。
【００４８】
又、アーム部材２０２は、中央に長孔２０２ｅを有し、図１３に示すように、長孔２０２ｅを貫通する頭部付きのピン２０６が、地板１０１に植設されている。長孔２０２ｅの幅は、係合した頭部付きのピン２０６の軸径と精密嵌合し、両者間に幅方向でのガタはない。なお、ピン２０６は、頭部付きであることが好ましいが、頭部の無い軸であってもよい。
【００４９】
第５レンズ群Ｌ５の組み付け及び調整の態様について説明する。図９，１０に示す状態で、アーム保持部材２０１を地板１０１に載置した状態で、固定筒１０４を含むレンズユニット１００を仮組する。かかる状態では、ねじりバネ２０５により反時計回りに付勢された第５保持枠２０４は、係止ピン部２０２ｆに係止バー２０４ｂが当接してアーム部材２０２に対して固定されているが、アーム部材２０２は頭部付きピン２０６を支点として光軸に直交する面内で揺動可能な状態となっている。
【００５０】
レンズ群Ｌ１〜Ｌ５を撮像時の位置とした状態で、不図示のチャートを撮像し、撮像素子１０３より出力された画像信号を解析し、片ボケが生じていれば、片ボケが解消（周辺性能が均等化）するように、地板１０１の平坦な領域１０１ａ上をアーム保持部材２０１の像側の面を当接させた状態で摺動させる。
【００５１】
具体的には、アーム保持部材２０１を図示A方向に摺動させつつ移動させると、アーム部材２０２が長孔２０２ｅの長手方向に移動するので、第５レンズ群Ｌ５を光軸に直交する図示ａ方向に移動させることができる。また、アーム保持部材２０１を図示B方向（光軸を中心とする同心円方向）に摺動させつつ揺動させると、頭部付きピン２０６を支点としてアーム部材２０２が揺動するので、第５レンズ群Ｌ５を光軸に直交する図示ｂ方向に揺動させることができる。すなわち、図示A方向及び図示B方向に摺動させることで、第５レンズ群Ｌ５を他のレンズ群Ｌ１〜Ｌ４に対して光軸に直交する面内の任意の方向に変位（シフト）させることができ、他のレンズ群Ｌ１〜Ｌ４に対して調整することができる。アーム保持部材２０１を地板１０１上で摺動させて、片ボケがなくなれば、その時点でアーム保持部材２０１を地板１０１（例えば、壁１０１ｂとアーム保持部材２０１との間又は、地板１０１とアーム保持部材２０１の当接面の端部）にＵＶ接着剤等を用いて接着することで、調整工程が完了する。
【００５２】
本実施の形態によれば、第５レンズ群Ｌ５に連結されたアーム部材２０２が、固定筒１０４の切欠１０４ｂを介して固定筒１０４の内側から外側に延在するようになっているので、固定筒１０４の外側から、アーム保持部材２０１を地板１０１上で摺動させることで、アーム部材２０２を介して第５レンズ群Ｌ５の位置調整（シフト調整）を行うことができ、これによりレンズ群Ｌ１〜Ｌ４で積み上がった組み付け誤差等を、組み上げた状態でキャンセルできる。又、アーム保持部材２０１を作業者が直に目視できるので、作業者の意図に沿った操作に従いアーム保持部材２０１を地板１０１上で摺動移動させることで、第５レンズ群Ｌ５の調整をダイレクトに行うことができる。
【００５３】
特に、アーム保持部材２０１と第５レンズ群Ｌ５との間に、調整の支点としての頭部付きピン２０６を設けているので、調整の分解能を高めることができる。すなわち、光軸Oとシャフト２０１ｃの間で、頭部付きピン２０６の位置の設定により、アーム保持部材２０１を揺動させる量と第５レンズ群Ｌ５の揺動する量の比を設定できる。これにより、所望の分解能を容易に設定できるようになる。なお、フレーム部２０２ｃ側に長孔２０２ｅを設けて、頭部付きピン２０６を貫通させても良い。
【００５４】
又、アーム保持部材２０１の像側の面及び、アーム保持部材２０１の像側の面が摺動する地板１０１の平坦な領域１０１ａは、光軸Oに対し直交する面に形成されているため、アーム保持部材２０１を摺動させても第５レンズ群Ｌ５が光軸方向へ移動することや、チルトすることがない。
【００５５】
本実施の形態にかかるレンズユニット１００は、撮像時には図６、図７に示すように、アーム保持部材２０１に対して、アーム部材２０２のスリーブ部２０２ａはスプリング２０３により物体側に付勢されている。かかる状態から、沈胴動作を行うと、第４レンズ群Ｌ４を保持する第４保持枠１１３が像側に移動し、第４保持枠１１３の一部（斜面）が、第５保持枠２０４の短アーム２０４ａの突起部２０４ｃに当接し、ねじりバネ２０５に付勢力に抗して第５保持枠２０４を回動させる（図示では時計回り方向）。これにより、第５レンズ群Ｌ５は第５保持枠２０４と共に、矩形開口部２０２ｂから光軸直交方向に退避する。更に、第４保持枠１１３は像側に移動し、アーム部材２０２を押圧し、スプリング２０３の付勢力に抗してアーム部材２０２を像側に移動させ、図１２、図１３に示す状態となる。第５レンズ群Ｌ５を第５保持枠２０４と共に、矩形開口部２０２ｂから光軸直交方向に退避させることで、第１〜第４レンズ群をより地板１０１に接近させることができ、沈胴時の全長をより短くすることができる。尚、沈胴状態から撮影状態に移行するときは、上述とは逆の動作になる。なお、アーム部材２０２の地板側への移動を、第１直進案内１０６、第３直進案内１１０、第３保持枠１１２のいずれかで押圧して行い、第４保持枠１１３の一部で第５保持枠２０４を回動させるよう構成してもよい。
【００５６】
本発明は、明細書に記載の実施例に限定されるものではなく、他の実施例・変形例を含むことは、本明細書に記載された実施例や思想から本分野の当業者にとって明らかである。明細書の記載及び実施例は、あくまでも例証を目的としており、本発明の範囲は後述するクレームによって示されている。上述の実施の形態では、変倍時及びフォーカシング時に移動しないレンズ群を調整されるレンズ群としたが、フォーカシングに移動するレンズ群を調整されるレンズ群としても良い。この場合は、アクチュエータも一体的に移動させて調整すればよい。また、上述の実施の形態においては、５群構成のズームレンズで説明したが、５群構成に限るものでない。また、沈胴時に、調整されるレンズ群を撮像素子方向に移動させると共に光軸上から退避させる構成で説明したが、撮像素子方向への移動及び光軸上からの退避の一方又は両方を行わない構成であってもよい。光軸上からの退避を行わない構成の場合は、アーム部材に調整されるレンズ群を保持する保持枠が形成される。また、調整されるレンズ群が撮像素子方向への移動を行わない構成の場合には、アーム部材とアーム保持部材を一体に形成してもよい。
【符号の説明】
【００５７】
１ デジタルカメラ
２ 撮像部
３ カメラ本体部
４ フラッシュ発光部
５ シャッタボタン
６ 表示部
８ 切換スイッチ
９ ズームスイッチ
１３ メモリカード
１００ レンズユニット
１０１ 地板
１０１ａ 領域
１０１ｂ 壁
１０２ 基板
１０３ 撮像素子
１０４ 固定筒
１０４ａ 直進案内溝
１０４ｂ 切欠部
１０５ 回転筒（移動鏡筒）
１０５ａ ギヤ部
１０５ｂ 周溝
１０６ 第１直進案内
１０６ａ 突起部
１０６ｂ 環状部
１０６ｃ 直進案内溝
１０７ 第２直進案内
１０７ａ 突起部
１０７ｂ 直進案内溝
１０８ 第１保持枠
１０８ａ 突起部
１０８ｂ フォロワピン部
１０９ インナーカム筒
１０９ａ フォロワピン部
１０９ｂ 外周カム溝
１０９ｃ 内周カム溝
１０９ｄ 内周カム溝
１１０ 第３直進案内
１１０ａ 突起部
１１０ｂ 直進案内溝
１１１ 第２保持枠
１１１ａ 直進キー部
１１１ｂ フォロワピン部
１１２ 第３保持枠
１１２ａ 直進キー部
１１２ｂ フォロワピン部
１１３ 第４保持枠
２０１ アーム保持部材
２０１ａ 側面
２０１ｂ 切欠
２０１ｃ シャフト
２０１ｅ 小穴
２０２ アーム部材
２０２ａ スリーブ部
２０２ｂ 矩形開口部
２０２ｃ フレーム部
２０２ｄ 軸
２０２ｅ 長孔
２０２ｆ 係止ピン部
２０３ スプリング
２０４ 第５保持枠
２０４ａ 短アーム
２０４ｂ 係止バー
２０４ｃ 突起部
２０５ ねじりバネ
２０６ 頭部付きピン
Ｌ１〜Ｌ４ レンズ群
Ｌ５ 第５レンズ群（調整されるレンズ群）
Ｏ 光軸
【図１】
2013246336.tif 000003
【図２】
2013246336.tif 000004
【図３】
2013246336.tif 000005
【図４】
2013246336.tif 000006
【図５】
2013246336.tif 000007
【図６】
2013246336.tif 000008
【図７】
2013246336.tif 000009
【図８】
2013246336.tif 000010
【図９】
2013246336.tif 000011
【図１０】
2013246336.tif 000012
【図１１】
2013246336.tif 000013
【図１２】
2013246336.tif 000014
【図１３】
2013246336.tif 000015